(57)【特許請求の範囲】
【請求項１】
繰り返し使用可能な筆記用板に対して、磁力で付着することができる器具であって、
手を載せるための縦長状の台座部材と、
前記台座部材の前記筆記用板側に取り付けられた第１及び第２の磁石部材とを備え、
前記第１の磁石部材と前記第２の磁石部材との間隔は、伸縮自在であることを特徴とする、筆記用台座器具。
【請求項２】
前記第２の磁石部材は、前記台座部材に対してスライド可能に取り付けられていることを特徴とする、請求項１に記載の筆記用台座器具。
【請求項３】
前記台座部材は、貫通された縦長状の溝を含み、
前記第２の磁石部材は、
前記台座部材に設けられた前記溝に挿通される杆状部材と、
前記第２の磁石部材を前記台座部材に締め付ける締付部材とを含むことを特徴とする、請求項２に記載の筆記用台座器具。
【請求項４】
前記第２の磁石部材は、前記台座部材の側面に沿ってスライド可能なスライド部材を含むことを特徴とする、請求項２に記載の筆記用台座器具。
【請求項５】
前記台座部材は、伸縮自在であり、
前記第１及び第２の磁石部材は、前記台座部材の両端部分に取り付けられていることを特徴とする、請求項１に記載の筆記用台座器具。
【請求項６】
前記台座部材は、前記第２の磁石部材を係止するための係止部材を複数含むことを特徴とする、請求項１に記載の筆記用台座器具。
【請求項７】
前記台座部材は、四角柱状であり、かつ、透明であることを特徴とする、請求項１に記載の筆記用台座器具。
【請求項８】
前記台座部材は、前記筆記用板と前記台座部材との間に設けられる少なくとも一つの支持部材を含むことを特徴とする、請求項１に記載の筆記用台座器具。
【発明の詳細な説明】
【技術分野】
【０００１】
本発明は、黒板やホワイトボードなどの繰り返し使用可能な筆記用板に用いられる器具に関し、より特定的には、手を載せて筆記するための器具に関する。
【背景技術】
【０００２】
たとえば、右利きの人が黒板やホワイトボードなどの繰り返し使用可能な筆記用板に対して筆記する際、右手があたる箇所に既に文字等が記載されていたら、既に記載されている文字等を消さないように、右手を浮かせて筆記する必要がある。しかし、筆記用板から手を浮かせて筆記すると、どうしても力がうまく入らず、雑な字になる場合がある。そのため、うまく文字を書くための器具があれば、便利である。
【０００３】
たとえば、筆記用板に筆記する際に、既に記載されている文字等の左側（左利きであれば右側）に何らかの器具をあてがって、当該器具の上に手を載せながら文字を書けば、綺麗に字を書くことが出来るはずである。ただし、筆記用板は、通常、壁などに垂直に取り付けられているので、当該器具は、磁石などによって、筆記用板に取り付けられる必要がある。
【０００４】
文字等を書く際に、手を載せるための器具ではないが、特許文献１や特許文献２には、磁石で黒板に取り付けることができる定規が開示されている。
【特許文献１】実開昭５８−８６３９４号公報
【特許文献２】実開平６−３９４９２号公報
【特許文献３】実開昭６０−１５９６９６号公報
【発明の開示】
【発明が解決しようとする課題】
【０００５】
特許文献１に記載の定規において、磁石は、定規の両端に固定的に取り付けられている。したがって、特許文献１の定規を既に記載されている文字の上に貼り付けたときに、もし、当該文字の上に、磁石が位置してしまうことになれば、当該文字が消えてしまったり、汚れてしまったりする可能性がある。したがって、特許文献１の定規を手を載せるための器具として流用することは好ましくない。
【０００６】
特許文献２に記載の定規は、磁石が縦長状にほぼ全面に渡って取り付けられているので、特許文献１と同様、手を載せるための器具として流用することは好ましくない。
【０００７】
特許文献３に記載の直定規は、大きい物の長さを測定するための道具であり、筆記用板に貼り付けて使用するような定規ではない。また、手を載せるような構造となっていない。
【０００８】
それゆえ、本発明の目的は、既に記載されている文字等を消したり汚したりすることなく文字等を記載するために、筆記用板に貼り付けて使用する手を載せるための器具を提供することである。
【課題を解決するための手段】
【０００９】
上記課題を解決するために、本発明は、以下のような特徴を有する。本発明は、繰り返し使用可能な筆記用板に対して、磁力で付着することができる筆記用台座器具であって、縦長状の台座部材と、台座部材の筆記用板側に取り付けられた第１及び第２の磁石部材とを備え、第１の磁石部材と第２の磁石部材との間隔は、伸縮自在である。
【００１０】
好ましい実施形態において、第２の磁石部材は、台座部材に対してスライド可能に取り付けられているとよい。
【００１１】
一実施形態として、たとえば、台座部材は、貫通された縦長状の溝を含み、第２の磁石部材は、台座部材に設けられた溝に挿通される杆状部材と、第２の磁石部材を台座部材に締め付ける締付部材とを含むとよい。
【００１２】
一実施形態として、たとえば、第２の磁石部材は、台座部材の側面に沿ってスライド可能なスライド部材を含むとよい。
【００１３】
好ましい実施形態において、台座部材は、伸縮自在であり、第１及び第２の磁石部材は、台座部材の両端部分に取り付けられているとよい。
【００１４】
好ましい実施形態において、台座部材は、第２の磁石部材を係止するための係止部材を複数含むとよい。
【００１５】
好ましくは、台座部材は、四角柱状であり、かつ、透明であるとよい。
【００１６】
好ましくは、台座部材は、筆記用板と台座部材との間に設けられる少なくとも一つの支持部材を含むとよい。
【発明の効果】
【００１７】
本発明によれば、第１及び第２の磁石部材の間隔が伸縮自在であるので、既に文字等が記載されている箇所に本発明の筆記用台座器具を付着させる場合、当該間隔を広げたり狭めたりして、第１及び第２の磁石部材が当該文字等と重ならないように調整することができる。調整の後、筆記用台座器具を筆記用板に付着させて、台座部材に手を載せて、文字等を記載すれば、既に記載されている文字等を消したり汚したりすることなく文字等を記載することができる。
【００１８】
第２の磁石部材をスライド可能にすれば、簡単に、第１及び第２の磁石部材の間隔を伸縮することができる。台座部材に溝を用い、当該溝に沿って第２の磁石部材をスライドさせる構造は簡易であり、本発明の筆記用台座器具を低コストに提供することが可能となる。スライド部材を用いて第２の磁石部材をスライドさせる構造も簡易であり、かつデザイン性にも優れている。
【００１９】
台座部材自体を伸縮自在とすることによっても、既に記載されている文字等を消したり汚したりすることなく文字等を記載することができる。また、デザイン性にも優れている。
【００２０】
第２の磁石部材を係止するための係止部材を用いれば、台座部材の撓みを防止しながら、既に記載されている文字等を消したり汚したりすることなく文字等を記載することができる。同様に、台座部材に支持部材を設けることによっても、台座部材の撓みを防止しながら、文字等を記載できる。
【００２１】
台座部材を透明にすることによって、台座部材の下の文字が確認でき、筆記用台座器具をそのまま付着させていたとしても、下の文字が確認できる。また、台座部材が四角柱状でかつ透明であれば、下の文字がゆがんで見えることはない。また、台座部材が四角柱であれば、手が載せやすい。
【００２２】
本発明のこれらおよび他の目的、特徴、局面、効果は、添付図面と照合して、以下の詳細な説明から一層明らかになるであろう。
【発明を実施するための最良の形態】
【００２３】
（第１の実施形態）
図１は、本発明の第１の実施形態に係る筆記用台座器具１０を示す図である。図１（ａ）は、正面図である。図１（ｂ）は、背面図である。図１（ｃ）は、右側面図である。図１（ｄ）は、第２の磁石４を示す斜視図である。図１（ａ）〜（ｃ）において、筆記用台座器具１０は、土台部材１と、第１の磁石部材２と、第２の磁石部材４と、持ち手部５ｂとを備える。筆記用台座器具１０が用いられる筆記用板は、筆記用台座器具１０を磁力で付着させることができるように、鉄板等が埋め込まれた黒板やホワイトボードである。
【００２４】
土台部材１は、縦長状の透明な四角柱状部材であり、たとえば、アクリル板などの樹脂板である。土台部材１は、貫通された縦長状の溝３を含む。第１の磁石部材２は、土台部材１の背面に固定的に取り付けられている。第１の磁石部材２及び第２の磁石部材４は、土台部材１の筆記用板側に取り付けられている。図１（ｄ）に示すように、第２の磁石部材４は、垂直に立脚した杆状部材４ａと、杆状部材４ａの上端に設けられたねじ溝に対応するねじ孔５ａを有する締付部材５とを含む。図１（ａ）〜（ｃ）に示すように、杆状部材４ａは、溝３に挿通される。締付部材５を杆状部材４ａにねじ込むことによって、第２の磁石部材４は、台座部材１に締め付けられる。逆に、締付部材５を緩めることによって、第２の磁石部材４は、溝３に沿ってスライド可能となる。このように、第２の磁石部材４は、台座部材１に対して、スライド可能に取り付けられている。これにより、第１の磁石部材２と第２の磁石部材４との間隔は、伸縮自在となる。持ち手部５ｂは、第１の磁石部材２と対向するように取り付けられている。持ち手部５ｂと締付部材５とを持って、斜めに傾けると着脱が容易となる。なお、持ち手部５ｂはなくても良い。
【００２５】
図２は、第１の実施形態に係る筆記用台座器具１０の使用方法を示す図である。図２（ａ）に示すような、月間スケジュールを用いた筆記用板について考える。「２月４日（金）」の予定欄Ｂ１に、既に、「社長出張→直帰」との予定が記載されていたとする。その後、「２月３日（木）」の予定欄Ｂ２に、「十時来客」という予定を記載したいとする。もし、第２の磁石部材４が、溝３の上端まで位置していたとすると、「直帰」という文字と第２の磁石部材４とが重なってしまい、当該文字を汚してしまう可能性がある。また、第２の磁石部材４が、溝３の中程よりも少し下の方に位置していたとすると、「日」という文字と第２の磁石部材４と重なってしまい、当該文字を汚してしまう可能性がある。また、第２の磁石部材４が、溝３の下端まで位置していたとすると、「定休日」という文字と第２の磁石部材４と重なってしまい、当該文字を汚してしまう可能性がある。「２０」という文字は、予め当該筆記用板に印刷されている文字であるので、当該文字の上に、第２の磁石部材４が取り付けられたとしても如何なる文字を汚したり消したりすることはない。このように、第２の磁石部材４を適当な位置にスライドさせ、その上で、台座部材１の上に手を載せて、「十時来客」という文字を記載すればよい。
【００２６】
図２（ｂ）は、右から順番に文字を記載しなければならないときの使用方法を示す図である。「一．連合会会長挨拶」という文字を先に記載したあと、「一．来賓挨拶」という文字を記載したい場合、第２の磁石部材４を、「一．連合会会長挨拶」という文字に重ならない位置までスライドさせればよい。
【００２７】
なお、図２（ｃ）に示すように、筆記用台座器具１０を定規としてあてがって、文字や線を記載することも可能である。これにより、綺麗な文字が記載できる。
【００２８】
このように、第１の実施形態では、第２の磁石部材４をスライドさせて、既に記載されている文字と重ならないように筆記用台座器具１０を筆記用板に付着させ、台座部材１の上に手を載せて、文字を記載することができる。したがって、既に記載されている文字等を消したり汚したりすることなく文字等を記載することが可能となる。
【００２９】
土台部材１が透明であるので、筆記が終わった後、筆記用台座器具１０をそのままの位置に取り付けていたとしても、後の文字等を確認することができる。台座部材１が四角柱状でかつ透明であれば、下の文字がゆがんで見えることはない。台座部材１が四角柱であれば、手が載せやすい。なお、既に記載されている文字等を消したり汚したりしないという目的を達成するだけであれば、土台部材１は、透明であることに限定されない。
【００３０】
なお、土台部材１や、第１の磁石部材２、溝３、第２の磁石４の形状、第２の磁石部材４の締め付け方は、上記の例に限られるものではない。
【００３１】
（第２の実施形態）
図３は、本発明の第２の実施形態に係る筆記用台座器具２０の斜視図である。図３において、筆記用台座器具２０は、台座部材２１と、第１の磁石部材２２と、第２の磁石部材２４とを備える。第２の磁石部材２４は、スライド部材２３を含む。
【００３２】
土台部材２１は、縦長状の四角柱状部材であって、第１の実施形態と同様、透明である。第１の磁石部材２２は、土台部材２１の一端に固定的に取り付けられている。スライド部材２３は、四角柱筒状であり、台座部材２１の外周と略同一の大きさに貫通しており、台座部材２１の側面に沿ってスライド可能である。これにより、第１の磁石部材２２と第２の磁石部材２４との間隔は、伸縮自在となる。したがって、筆記用台座器具２０を用いても、第１の実施形態と同様の効果が得られる。
【００３３】
なお、スライド部材２３の形状は、あくまでも一例であって、台座部材２１の側面に沿ってスライド可能な部材であればよい。たとえば、スライド部材２３は、コの字状であり、台座部材２１に設けられた貫通していない溝に掛止される鉤型の先端を有し、当該鉤型の先端が当該溝をスライドするようにしてもよい。
【００３４】
（第３の実施形態）
図４は、本発明の第３の実施形態に係る筆記用台座器具３０の斜視図である。図４において、筆記用台座器具３０は、第１及び第２の台座部材３１ａ，３１ｂと、第１の磁石部材３２と、第２の磁石部材３３とを備える。第１及び第２の台座部材３１ａ，３１ｂは、縦長状の四角柱状部材であって、第１の実施形態と同様、透明である。第１の台座部材３１ａは、第２の台座部材３１ｂを出し入れ可能に挿入するための縦長の孔３１ｃを有している。第２の台座部材３１ｂは、当該縦長の孔３１ｃに挿入される。これにより、第１及び第２の台座部材３１ａ，３１ｂは、伸縮自在となる。第１の磁石部材３２は、第１の台座部材３１ａの一端に固定的に取り付けられている。第２の磁石部材３３は、第２の台座部材３１ｂの一端に固定的に取り付けられている。これにより、第１の磁石部材３２と第２の磁石部材３３との間隔は、伸縮自在となる。よって、筆記用台座器具３０を用いても、第１の実施形態と同様の効果が得られる。
【００３５】
なお、台座部材を伸縮自在にするための構成は、図４に示した例に限られない。第１及び第２の磁石部材３２，３３は、完全に端部に取り付けられている必要はなく、台座部材３１ａ，３１ｂの両端部分に取り付けられていればよい。
【００３６】
（第４の実施形態）
図５は、本発明の第５の実施形態に係る筆記用台座器具４０の斜視図である。図５において、筆記用台座器具４０は、台座部材４１と、第１の磁石部材４２と、第２の磁石部材４３とを備える。台座部材４１は、縦長状の四角柱状部材であって、第１の実施形態と同様、透明である。台座部材４１は、複数の雄係止部材４４を含む。第２の磁石部材４３は、雌係止部材４５を底面に含む。雄係止部材４４は、円柱状であり、円周状の凸部４４ａを有する。雌係止部材４５は、雄係止部材４４の外径と略同一の内径を有する孔４５ｂを有し、当該孔の内部に、凹部４５ａを有する。雌係止部材４５を雄係止部材４４に挿入すると、凹部４５ａに凸部４４ａが嵌合する。これにより、第２の磁石部材４３は、土台部材４１に取り外し可能に係止されることとなる。第２の磁石部材４３を係止する位置を変更することによって、第１の磁石部材４２と第２の磁石部材４３との間隔を伸縮させることができる。よって、筆記用台座器具４０を用いても、第１の実施形態と同様の効果が得られる。なお、雄係止部材４４は、透明であることが好ましい。なお、雄係止部材４４は、台座部材４１の撓みを防止する支持部材としても機能する。
【００３７】
なお、第２の磁石部材４３を係止するための係止部材の構成は、上記の例に限定されるものではなく、あらゆる周知の構成を用いることができる。
【００３８】
（第５の実施形態）
図６（ａ）は、本発明の第５の実施形態に係る筆記用台座器具５０の背面図である。図６（ｂ）は、本発明の第５の実施形態に係る筆記用台座器具５０の右側面図である。第６の実施形態において、第１の実施形態と同様の機能を有する部分については、同一の参照符号を付し、説明を省略する。筆記用台座器具５０は、支持部材６を含む。支持部材６は、筆記用板と台座部材１との間に設けられる。支持部材６の厚みは、第１及び第２の磁石部材２，４の厚みと同一かあるいは薄い。これにより、台座部材１に手を載せて文字等を記載する際、支持部材６が筆記用板にあたることとなり、台座部材１の撓みを防止することができる。土台部材１を長くした場合や、土台部材１を薄くするような場合に、支持部材６は、効果的である。なお、支持部材６は、少なくとも１つ設けられていればよく、数は限定されない。また、支持部材６の形状も特に限定されない。支持部材６は、好ましくは透明であるとよい。ただし、支持部材６が文字等と重なる可能性もあるので、図６に示したように、できる限り、小さく作る方がよい。なお、支持部材６自体が、スライドするような構造になっていてもよい。支持部材６をスライドさせるための構造は、如何なる構造でもよいが、たとえば、第１や第２の実施形態で示したような構造が採用しうる。なお、支持部材６は、磁力を有していてもよい。
【００３９】
上記第１〜第６の実施形態では、第２の磁石部材のみが移動することとしたが、第２の磁石部材と同様の構造を第１の磁石部材側にも施して、第１及び第２の磁石部材の両方が移動するようにしてもよい。少なくとも、第１又は第２の磁石部材のどちらかが移動すれば、本発明の目的は達成される。すなわち、第１の磁石部材と第２の磁石部材との間隔を伸縮自在にすることが本発明の本質である。
【００４０】
なお、上記第１〜第６の実施形態におけるいずれの筆記用台座器具も、右利きの人用に限定されるものではない。
【００４１】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００４２】
本発明は、事務用品等の分野において有用である。
【図面の簡単な説明】
【００４３】
【図１】本発明の第１の実施形態に係る筆記用台座器具１０を示す図
【図２】第１の実施形態に係る筆記用台座器具１０の使用方法を示す図
【図３】本発明の第２の実施形態に係る筆記用台座器具２０の斜視図
【図４】本発明の第３の実施形態に係る筆記用台座器具３０の斜視図
【図５】本発明の第５の実施形態に係る筆記用台座器具４０の斜視図
【図６】本発明の第５の実施形態に係る筆記用台座器具５０を示す図
【符号の説明】
【００４４】
１０，２０，３０，４０，５０  筆記用台座器具
１，２１，３１ａ，３１ｂ，４１  土台部材
２，２２，３２，４２  第１の磁石部材
３  溝
４，２４，３３，４３  第２の磁石部材
４ａ  杆状部材
５  締付部材
５ａ，３１ｃ，４５ｂ  孔
５ｂ  持ち手部
２３  スライド部材
４４  雄係止部材
４５  雌係止部材
４４ａ  凸部
４５ａ  凹部
６  支持部材
【要約】
【課題】既に記載されている文字等を消したり汚したりすることなく文字等を記載するために、筆記用板に貼り付けて使用する手を載せるための器具を提供すること。
【解決手段】本発明の筆記用台座器具１０は、繰り返し使用可能な筆記用板に対して、磁力で付着することができる器具である。筆記用台座器具１０は、縦長状の台座部材１と、台座部材１の筆記用板側に取り付けられた第１及び第２の磁石部材２，４とを備える。第２の磁石部材４を溝３に沿ってスライドさせることによって、第１の磁石部材２と第２の磁石部材４との間隔は、伸縮自在となる。
【選択図】図１【図１】
0004129481.tif 000002
【図２】
0004129481.tif 000003
【図３】
0004129481.tif 000004
【図４】
0004129481.tif 000005
【図５】
0004129481.tif 000006
【図６】
0004129481.tif 000007